(57)【要約】【課題】ペアリングを容易に行うことができる端末器を提供する。【解決手段】情報端末３０および１以上の照明器具２０ａ〜２０ｎと通信する第１通信部１１を備える端末器１０であって、第１通信部１１は、電源オン状態の１以上の照明器具２０ａ〜２０ｎのそれぞれから、１以上の照明器具２０ａ〜２０ｎのそれぞれのアドレス情報を受信し、情報端末３０に対して１以上の照明器具２０ａ〜２０ｎのそれぞれのアドレス情報を送信し、１以上の照明器具２０ａ〜２０ｎのそれぞれのアドレス情報のうち、情報端末３０において選択されたアドレス情報を有する照明器具２０と端末器１０とをペアリングするための情報を照明器具２０に送信するように構成されている。【選択図】図１
2019192538.tif 000002
【特許請求の範囲】
【請求項１】
端末器であって、
情報端末および１以上の照明器具と通信する第１通信部を備え、
前記第１通信部は、
電源オン状態の１以上の照明器具のそれぞれから、当該１以上の照明器具のそれぞれのアドレス情報を受信し、
前記情報端末に対して前記１以上の照明器具のそれぞれのアドレス情報を送信し、
前記１以上の照明器具のそれぞれのアドレス情報のうち、前記情報端末において選択されたアドレス情報を有する照明器具と前記端末器とをペアリングするための情報を当該照明器具に送信するように構成されている、
端末器。
【請求項２】
前記第１通信部は、前記１以上の照明器具に対して、アドレス情報が収集される照明器具の条件に関する情報を送信することで、前記１以上の照明器具のうちの当該条件に合致する照明器具のアドレス情報を受信する、
請求項１に記載の端末器。
【請求項３】
前記第１通信部は、前記１以上の照明器具に対して、アドレス情報が収集される照明器具の第１の条件に関する情報を送信し、所定期間経過後に前記第１の条件と異なる第２の条件に関する情報を送信する、
請求項２に記載の端末器。
【請求項４】
前記第１通信部は、前記１以上の照明器具に対して、アドレス情報が収集される照明器具の第１の条件に関する情報を送信し、所定期間経過後に再度前記第１の条件に関する情報を送信する、
請求項２に記載の端末器。
【請求項５】
前記第１通信部は、前記情報端末において選択されたアドレス情報を有する照明器具と前記端末器とをペアリングするための情報を当該照明器具に送信する前に、当該照明器具のアドレス情報を指定した制御信号を受信したとき、当該照明器具に対して、当該アドレス情報を指定した制御信号を送信する、
請求項１〜４のいずれか１項に記載の端末器。
【請求項６】
前記第１通信部は、前記情報端末において選択されたアドレス情報を有する照明器具と前記端末器とのペアリングが完了したとき、ペアリングが完了した当該照明器具に対して制御信号を送信する、
請求項１〜５のいずれか１項に記載の端末器。
【請求項７】
照明器具であって、
端末器と通信する第２通信部を備え、
前記第２通信部は、
前記端末器からアドレス情報の要求を受信したとき、自己のアドレス情報を前記端末器に対して送信し、
情報端末が前記端末器から受信した１以上の照明器具のそれぞれのアドレス情報のうち、前記情報端末において選択された前記自己のアドレス情報を有する前記照明器具と前記端末器とをペアリングするための情報を前記端末器から受信したとき、前記端末器とのペアリングを実行するように構成されている、
照明器具。
【請求項８】
前記第２通信部は、前記要求を受信する際に、前記端末器からアドレス情報が収集される照明器具の条件に関する情報を受信し、前記照明器具が当該条件に合致する場合に、前記自己のアドレス情報を前記端末器に対して送信する、
請求項７に記載の照明器具。
【請求項９】
前記第２通信部は、前記端末器から前記要求を受信した回数に基づいて、前記自己のアドレス情報を前記端末器に対して送信する、
請求項７または８に記載の照明器具。
【請求項１０】
前記照明器具は、さらに、光源の点灯状態を制御する制御部を有し、
前記制御部は、前記第２通信部が前記要求を受信したとき、前記光源を所定の点灯状態に制御する、
請求項７〜９のいずれか１項に記載の照明器具。
【請求項１１】
前記照明器具は、さらに、光源の点灯状態を制御する制御部を有し、
前記制御部は、前記第２通信部が前記端末器とのペアリングを実行する前に前記自己のアドレス情報を指定した制御信号を受信したとき、当該制御信号に基づいて前記光源の点灯状態を制御する、
請求項７〜１０のいずれか１項に記載の照明器具。
【請求項１２】
前記照明器具は、さらに、光源の点灯状態を制御する制御部を有し、
前記制御部は、前記第２通信部が前記端末器とのペアリングを完了したとき、前記光源を所定の点灯状態に制御する、
請求項７〜１１のいずれか１項に記載の照明器具。
【請求項１３】
端末器と通信する第３通信部を備え、
前記第３通信部は、
電源オン状態の１以上の照明器具のそれぞれのアドレス情報を前記端末器から受信し、
前記１以上の照明器具のそれぞれのアドレス情報のうち、選択されたアドレス情報を有する照明器具と前記端末器とをペアリングするための情報を前記端末器に送信するように構成されている、
情報端末。
【請求項１４】
電源オン状態の１以上の照明器具のそれぞれのアドレス情報を端末器から受信するステップと、
前記１以上の照明器具のそれぞれのアドレス情報のうち少なくとも１つのアドレス情報の選択を受け付けるステップと、
選択を受け付けたアドレス情報を有する照明器具と前記端末器とをペアリングするための情報を前記端末器に送信するステップと、を含む、
ペアリング方法。
【請求項１５】
請求項１４に記載のペアリング方法をコンピュータに実行させるためのプログラム。
【発明の詳細な説明】
【技術分野】
【０００１】
本発明は、端末器、照明器具、情報端末、ペアリング方法およびプログラムに関する。
【背景技術】
【０００２】
従来、照明器具と、照明器具の明るさを検出する明るさセンサ（端末器）とを備える照明システムが開示されている（例えば特許文献１）。このような照明システムによれば、端末器が検出した明るさに応じて照明器具を自動で調光制御することができ、照明器具が設けられたフロア等を所望の明るさにすることができる。
【先行技術文献】
【特許文献】
【０００３】
【特許文献１】特開２０１６−１４９２１５号公報
【発明の概要】
【発明が解決しようとする課題】
【０００４】
照明システムの施工の簡素化、低コスト化等のために、端末器と照明器具との間の接続が有線接続から無線接続へとなってきている。このとき、端末器が所望の照明器具を無線で調光制御するために、端末器と当該所望の照明器具とのペアリングが必要になる。例えばフロアの規模によっては数１００台の照明器具と、端末器とをペアリングする必要がある場合があり、ペアリングの容易化が望まれる。
【０００５】
そこで、本発明は、ペアリングを容易に行うことができる端末器等を提供することを目的とする。
【課題を解決するための手段】
【０００６】
本発明の一態様に係る端末器は、端末器であって、情報端末および１以上の照明器具と通信する第１通信部を備え、前記第１通信部は、電源オン状態の１以上の照明器具のそれぞれから、当該１以上の照明器具のそれぞれのアドレス情報を受信し、前記情報端末に対して前記１以上の照明器具のそれぞれのアドレス情報を送信し、前記１以上の照明器具のそれぞれのアドレス情報のうち、前記情報端末において選択されたアドレス情報を有する照明器具と前記端末器とをペアリングするための情報を当該照明器具に送信するように構成されている。
【０００７】
本発明の一態様に係る照明器具は、照明器具であって、端末器と通信する第２通信部を備え、前記第２通信部は、前記端末器からアドレス情報の要求を受信したとき、自己のアドレス情報を前記端末器に対して送信し、情報端末が前記端末器から受信した１以上の照明器具のそれぞれのアドレス情報のうち、前記情報端末において選択された前記自己のアドレス情報を有する前記照明器具と前記端末器とをペアリングするための情報を前記端末器から受信したとき、前記端末器とのペアリングを実行するように構成されている。
【０００８】
本発明の一態様に係る情報端末は、端末器と通信する第３通信部を備え、前記第３通信部は、電源オン状態の１以上の照明器具のそれぞれのアドレス情報を前記端末器から受信し、前記１以上の照明器具のそれぞれのアドレス情報のうち、選択されたアドレス情報を有する照明器具と前記端末器とをペアリングするための情報を前記端末器に送信するように構成されている。
【０００９】
本発明の一態様に係るペアリング方法は、電源オン状態の１以上の照明器具のそれぞれのアドレス情報を端末器から受信するステップと、前記１以上の照明器具のそれぞれのアドレス情報のうち少なくとも１つのアドレス情報の選択を受け付けるステップと、選択を受け付けたアドレス情報を有する照明器具と前記端末器とをペアリングするための情報を前記端末器に送信するステップと、を含む。
【００１０】
本発明の一態様に係るプログラムは、上記のペアリング方法をコンピュータに実行させるためのプログラム。
【発明の効果】
【００１１】
本発明の一態様に係る端末器等によれば、ペアリングを容易に行うことができる。
【図面の簡単な説明】
【００１２】
【図１】図１は、実施の形態に係る端末器、照明器具および情報端末の一例を示す構成図である。
【図２】図２は、実施の形態における端末器と照明器具とのペアリングについての全体処理を示すシーケンス図である。
【図３】図３は、アドレス情報の収集の一例を説明するための図である。
【図４】図４は、端末器と照明器具とのペアリングの際に、ユーザに操作される情報端末の一例を示す図である。
【発明を実施するための形態】
【００１３】
以下では、本発明の実施の形態について、図面を用いて詳細に説明する。なお、以下に説明する実施の形態は、いずれも本発明の好ましい一具体例を示すものである。従って、以下の実施の形態で示される数値、形状、構成要素、構成要素の配置及び接続形態、並びに、ステップ（工程）及びステップの順序等は、一例であり、本発明を限定する趣旨ではない。よって、以下の実施の形態における構成要素のうち、本発明の最上位概念を示す独立請求項に記載されていない構成要素については、任意の構成要素として説明される。
【００１４】
また、各図は、模式図であり、必ずしも厳密に図示されたものではない。また、各図において、同じ構成要素については同じ符号を付している。
【００１５】
（実施の形態）
以下、実施の形態について、図１から図４を用いて説明する。
【００１６】
［構成］
まず、端末器と照明器具とのペアリングの際に必要となる機器の構成について説明する。
【００１７】
図１は、実施の形態に係る端末器、照明器具および情報端末の一例を示す構成図である。図１には、端末器と照明器具とのペアリングの際に必要となる機器を示している。なお、端末器と照明器具とのペアリングとは、端末器と照明器具とが互いのアドレス情報（例えばＭＡＣ（Ｍｅｄｉａ  Ａｃｃｅｓｓ  Ｃｏｎｔｒｏｌ）アドレス）を交換することをいい、端末器と照明器具とのペアリングが完了することで、相互に通信が可能となる。
【００１８】
端末器１０は、例えば、フロアの天井等に設けられ、端末器１０の周囲の明るさを検出する明るさセンサである。端末器１０の検出結果は、例えば、照明器具の調光制御に用いられる。例えば、端末器１０は、照明器具が設置された場所の周辺に設置され、照明器具に照射される床面等の照度を検出することで、照明器具の明るさを検出する。例えば、端末器１０によって検出された明るさが予め定められた設定値となるように、照明器具は調光制御される。具体的には、検出された明るさが予め定められた明るさの設定値よりも明るい場合には照明器具の調光率が下げられ、暗い場合には、照明器具の調光率が上げられる。予め定められた明るさの設定値は、例えば、端末器１０に記憶されており、端末器１０は、検出した明るさを端末器１０が記憶している予め定められた明るさの設定値に照合することで、照明器具の調光制御を行う。
【００１９】
端末器１０は、情報端末３０および１以上の照明器具と通信する第１通信部１１を備える。本実施の形態では、１以上の照明器具を、複数の照明器具２０ａ〜２０ｎとして説明する。例えば、第１通信部１１における通信は、無線を用いた通信方式であり、第１通信部１１が調光制御に関する制御信号を複数の照明器具２０ａ〜２０ｎに送信することで、複数の照明器具２０ａ〜２０ｎの調光制御が行われる。端末器１０と情報端末３０および複数の照明器具２０ａ〜２０ｎとの通信には、例えば、９２０ＭＨｚ帯の特定小電力無線が用いられる。当該特定小電力無線の通信可能な距離は、端末器１０の明るさを検出可能な距離をカバーしている。言い換えると、端末器１０が明るさを検出する照明器具は、当該通信可能な距離内に設置される。１つの端末器１０でフロアに設置される全ての照明器具の明るさを検出することは難しい場合があり、例えばフロアにおける所定の領域毎に端末器１０が設置される。なお、図示していないが、端末器１０は、第１通信部１１の他に、上記無線通信方式（特定小電力無線）とは異なる無線通信方式により情報端末３０と通信する通信部を備えている。特定小電力無線とは異なる無線通信方式は、例えば、赤外線を用いた通信方式である。
【００２０】
複数の照明器具２０ａ〜２０ｎは、第２通信部２１ａ〜２１ｎおよび制御部２２ａ〜２２ｎを備える。なお、以下では、照明器具２０ａ〜２０ｎのそれぞれを照明器具２０とも呼び、第２通信部２１ａ〜２１ｎのそれぞれを第２通信部２１とも呼び、制御部２２ａ〜２２ｎのそれぞれを制御部２２とも呼ぶ。照明器具２０は、例えば、フロアの天井等に設けられる。照明器具２０は、光源を備え、制御部２２は、光源の点灯状態を制御する。制御部２２は、光源の点灯および消灯の切り替え、並びに、調光率（明るさ）の変更が可能となっている。当該光源は、ＬＥＤ光源、有機ＥＬまたは蛍光灯等であるが、特に限定されない。例えば、照明器具２０は、メインコントローラおよび壁スイッチ等と有線（例えば２線式有線）で接続されており、壁スイッチへの操作に基づく信号を取得するメインコントローラによって、当該２線式有線を介して点灯および消灯の切り替えが行われる。また、第２通信部２１は、端末器１０と通信する。例えば、第２通信部２１における通信には、第１通信部１１と同じく特定小電力無線が用いられる。第２通信部２１が端末器１０から調光制御に関する制御信号を受信することで、制御部２２は、調光制御を行う。
【００２１】
情報端末３０は、例えば、スマートフォン又はタブレット等の携帯端末であり、端末器１０と通信する。例えば、ユーザは、情報端末３０が有する表示部（ディスプレイ等）に表示された表示内容を見ながら情報端末３０が有する操作部（例えばボタン、タッチパネル等）を操作することで、ペアリング作業を行う。
【００２２】
情報端末３０は、例えば、端末器１０と複数の照明器具２０ａ〜２０ｎのうちのユーザ所望の照明器具２０とのペアリングを行う際に用いられる。情報端末３０は、端末器１０と通信する第３通信部３１を備える。第３通信部３１と端末器１０（第１通信部１１）との通信には、第１通信部１１と第２通信部２１との通信と同じく特定小電力無線が用いられる。ただし、情報端末３０としてスマートフォン又はタブレット等の携帯端末は、特定小電力無線による通信機能を有していないことがあり、情報端末３０と端末器１０とは、特定小電力無線による通信機能を有している中継器等を介して無線通信が可能となる。つまり、情報端末３０（第３通信部３１）は、中継器を介して端末器１０と通信する。情報端末３０と中継器とは、例えば、ＢＬＥ（Ｂｌｕｅｔｏｏｔｈ（登録商標）  Ｌｏｗ  Ｅｎｅｒｇｙ）により通信可能に接続される。また、情報端末３０は、ＵＳＢ（Ｕｎｉｖｅｒｓａｌ  Ｓｅｒｉａｌ  Ｂｕｓ）コネクタを有し、情報端末３０と中継器とは、ＵＳＢコネクタを介して通信可能に接続されてもよい。したがって、第３通信部３１と第１通信部１１との通信のうち、第３通信部３１と中継器との通信にはＢＬＥまたはＵＳＢによる通信方式が用いられ、中継器と第１通信部１１との通信に特定小電力無線が用いられる。なお、中継器は、特定小電力無線とは異なる無線通信方式により端末器１０と通信する通信部を備えている。特定小電力無線とは異なる無線通信方式は、例えば、赤外線を用いた通信方式である。つまり、情報端末３０は、中継器を介して端末器１０と赤外線通信を行うことができる。なお、情報端末３０が特定小電力無線による通信機能および赤外線による通信機能を有していてもよい。
【００２３】
端末器１０、照明器具２０および情報端末３０は、それぞれ、プロセッサ（マイクロプロセッサ）、メモリ、通信回路、ユーザインタフェース等を含む装置である。メモリは、ＲＯＭ、ＲＡＭ等であり、プロセッサにより実行される制御プログラムを記憶することができる。第１通信部１１は、端末器１０が有する通信回路等により実現され、端末器１０が有するプロセッサがメモリに格納された制御プログラムを実行することにより、信号（情報）の送受信を行う。第２通信部２１は、照明器具２０が有する通信回路等により実現され、照明器具２０が有するプロセッサが、メモリに格納された制御プログラムを実行することにより、信号（情報）の送受信を行う。制御部２２は、照明器具２０が有する当該プロセッサ等により実現される。第３通信部３１は、情報端末３０が有する通信回路等により実現され、情報端末３０が有するプロセッサがメモリに格納された制御プログラムを実行することにより、信号（情報）の送受信を行う。
【００２４】
また、端末器１０、複数の照明器具２０ａ〜２０ｎ、情報端末３０は、それぞれ自己のアドレス情報（例えばＭＡＣアドレス）を自身のメモリに記憶している。
【００２５】
［ペアリング処理］
次に、情報端末３０を用いたペアリング処理について図２を用いて説明する。
【００２６】
図２は、実施の形態における端末器１０と照明器具２０とのペアリングについての全体処理を示すシーケンス図である。なお、ユーザは、ペアリング作業を行う前に、端末器１０とペアリングさせたい照明器具２０を電源オン状態にしている。本発明では、ペアリングの際に照明器具２０が有する第２通信部２１が情報の送信を行う必要があり、第２通信部２１へ電力が供給される必要があるためである。ここでは、複数の照明器具２０ａ〜２０ｎが電源オン状態となっているとする。
【００２７】
まず、情報端末３０は、端末器１０を照明器具２０とペアリングするための設定モードに移行させる指示を端末器１０に対して送信する（ステップＳ１１）。なお、以降も含めて、情報端末３０と端末器１０との間の通信（特定小電力無線による通信または赤外線による通信）には、中継器を介した通信も含まれる。上述したように、情報端末３０が端末器１０と直接通信する機能を有していない場合には、情報端末３０は、中継器を介して端末器１０と通信するためである。
【００２８】
情報端末３０は、例えば端末器１０のアドレス情報を認識しておらず、端末器１０を宛先とする信号の送信ができないため、設定モードに移行させる指示の送信は、例えば、指向性を有する赤外線等による通信により行われる。ユーザが、情報端末３０（および中継器）を、当該指示を送信したい（つまり、ペアリング対象としたい）端末器１０の例えば下（例えば赤外線通信が可能な範囲）に持っていくことで、情報端末３０が端末器１０のアドレス情報を認識していなくても、当該指示を端末器１０に向けて送信することができるためである。例えば、情報端末３０は、当該指示を端末器１０に向けて送信する際に、自己のアドレス情報も端末器１０に送信し、これに対して端末器１０から端末器１０のアドレス情報が返信されることで、互いのアドレス情報を交換でき、次回以降は赤外線通信を用いず例えば特定小電力無線を用いた通信が可能となる。
【００２９】
例えば、当該指示には、端末器１０に通常動作をさせずに、ペアリング専用の動作をさせるコマンドが含まれる。また、端末器１０は複数の系統を有し、複数の照明器具２０ａ〜２０ｎを複数のグループに分けてグループ単位で同じ照明制御を行わせるために、当該指示には、複数の系統のうちのペアリングさせたい系統を選択するコマンドが含まれる。例えば、ここでは、Ａ系統が選択されているとする。つまり、端末器１０のＡ系統と照明器具２０とのペアリングが行われる。
【００３０】
端末器１０は、上記指示により設定モードに移行する。なお、端末器１０は、ＬＥＤランプ等を有していてもよく、当該ＬＥＤランプの点灯等により、現在設定モードであるか否かがわかるようにしてもよい。端末器１０が設定モードになることで、第１通信部１１は、複数の照明器具２０ａ〜２０ｎに対してアドレス情報の要求を送信する（ステップＳ１２）。端末器１０は、複数の照明器具２０ａ〜２０ｎのアドレス情報を認識しておらず当該要求をユニキャストできないため、ブロードキャストする。
【００３１】
例えば、第１通信部１１は、複数の照明器具２０ａ〜２０ｎに対して、アドレス情報が収集される照明器具の条件に関する情報を送信する。照明器具２０側から見ると、第２通信部２１は、上記要求を受信する際に、端末器１０からアドレス情報が収集される照明器具２０の条件に関する情報を受信する。例えば、複数の照明器具２０ａ〜２０ｎは、設置されるフロアの規模によっては、数１００台となることがある。このため、複数の照明器具２０ａ〜２０ｎからそれぞれのアドレス情報が同時に送られてくると、コリジョン等が発生してしまう。これに対して、本態様によれば、条件に合致する照明器具２０だけがアドレス情報を端末器１０に送信するため、コリジョン等の発生を抑制できる。
【００３２】
また、例えば、第１通信部１１は、複数の照明器具２０ａ〜２０ｎに対して、アドレス情報が収集される照明器具２０の第１の条件に関する情報を送信し、所定期間（第１所定期間）経過後に再度第１の条件に関する情報を送信する。第１の条件は、例えば、照明器具２０のＭＡＣアドレスの下一桁の数値に関する情報である。ここで、アドレス情報の収集について図３を用いて説明する。
【００３３】
図３は、アドレス情報の収集の一例を説明するための図である。ここでは、第１の条件を、照明器具２０のＭＡＣアドレスの下一桁が「Ａ」という条件としている。また、複数の照明器具２０ａ〜２０ｎは、キャリアセンスする機能を有しているとする。
【００３４】
図３の左側に示されるように、端末器１０は、複数の照明器具２０ａ〜２０ｎに対して、アドレス情報が収集される照明器具２０の条件に関する情報として、ＭＡＣアドレスの下一桁が「Ａ」の照明器具２０のみに返信させることを示す情報を送信する。ここで、例えば、照明器具２０ａおよび２０ｎのＭＡＣアドレスの下一桁が「Ａ」であり、照明器具２０ｂのＭＡＣアドレスの下一桁が「Ｆ」であるとする。図３の右側に示されるように、照明器具２０ａおよび２０ｎのうち、例えば照明器具２０ａが照明器具２０ｎよりも先に、第１の条件に合致したと判定し、自己のアドレス情報を端末器１０に返信したとする。このため、照明器具２０ｎは、第１の条件に合致したと判定するが、キャリアセンスすることで他の照明器具２０が、照明器具２０に割り当てられたチャネルを使用中であり当該チャネルが空いていないと判定し、自己のアドレス情報を端末器１０に返信しない。照明器具２０ｎは、一定期間（例えば複数の照明器具２０ａ〜２０ｎごとにランダムな期間）待ち状態となる。そして、端末器１０は、第１所定期間経過後、再度第１の条件に関する情報を送信する。第１所定期間は、例えば、キャリアセンスにおいて設定される各照明器具２０の待ち時間に応じて適宜決定される。照明器具２０ｎは、割り当てられたチャネルを使用中の他の照明器具２０がない場合、自己のアドレス情報を端末器１０に返信する。なお、すでに返信した照明器具２０は、返信しないように設定されている。
【００３５】
また、第１通信部１１は、複数の照明器具２０ａ〜２０ｎに対して、アドレス情報が収集される照明器具２０の第１の条件に関する情報を送信し、所定期間（第２所定期間）経過後に第１の条件と異なる第２の条件に関する情報を送信する。第２の条件は、例えば、照明器具２０のＭＡＣアドレスの下一桁の数値に関する情報である。ここでは、第２の条件を、第１の条件と異なる、照明器具２０のＭＡＣアドレスの下一桁が「Ｆ」という条件としている。例えば、第２所定期間経過するまでに第１の条件に合致する照明器具２０からのアドレス情報の返信がなければ、第１通信部１１は、複数の照明器具２０ａ〜２０ｎに対して、第２の条件に関する情報を送信する。例えば第２所定期間は、キャリアセンスにおいて設定される最大の待ち時間に応じて適宜決定される。照明器具２０ｂは、第２の条件に合致したと判定し、自己のアドレス情報を端末器１０に返信する。
【００３６】
このように、複数の照明器具２０ａ〜２０ｎがキャリアセンスする機能を有している場合に、第１の条件に合致する照明器具２０は、他に第１の条件に合致する照明器具２０が存在しており、当該他の照明器具２０が自己のアドレス情報を返信中で、割り当てられたチャネルが空いていないときには、一定期間待ち状態となる。したがって、第１通信部１１は、第１の条件に合致した照明器具２０のアドレス情報を受信した後、第１所定期間経過後に他の第１の条件に合致する照明器具２０のアドレス情報を受信できる。つまり、第１所定期間ごとに徐々に第１の条件に合致する照明器具２０のアドレス情報を受信していくことで、コリジョン等の発生を抑制しながら第１の条件に合致する照明器具２０のそれぞれのアドレス情報を収集できる。
【００３７】
また、第１通信部１１は、第１の条件に合致した照明器具２０のアドレス情報を受信した後、第２所定期間経過後に第２の条件に合致する照明器具２０のアドレス情報を受信できる。つまり、条件を変えて徐々に様々な条件に合致する照明器具２０のアドレス情報を受信していくことで、コリジョン等の発生を抑制しながら複数の照明器具２０ａ〜２０ｎのそれぞれのアドレス情報を収集できる。
【００３８】
また、第２通信部２１は、端末器１０から上記要求を受信した回数に基づいて、自己のアドレス情報を端末器１０に対して送信してもよい。
【００３９】
例えば、端末器１０がアドレス要求を何回か繰り返して送信することを前提として、照明器具２０は、自己のアドレス情報の内容と、端末器１０から上記要求を受信した回数と、に応じて自己のアドレス情報を返信してもよい。具体的には、端末器１０からの１回目の上記要求に対しては、ＭＡＣアドレスの下一桁が１の器具だけが返信する、２回目の上記要求に対しては、ＭＡＣアドレスの下一桁が２の器具だけが返信する、・・・といった条件を照明器具２０側で予め決めておく（照明器具２０が有するメモリに当該条件を記憶させておく）。
【００４０】
これにより、端末器１０または情報端末３０においてアドレス情報が収集される照明器具２０の条件を設定しなくても、照明器具２０が上記要求を受信した回数に応じて自己のアドレスを返信するタイミングをばらけさせることができ、コリジョン等の発生を抑制できる。なお、端末器１０または情報端末３０においてアドレス情報が収集される照明器具２０の条件を設定しつつ、照明器具２０においても条件を設定することで、二重の条件によって、照明器具２０が自己のアドレスを返信するタイミングをよりばらけさせることができ、効果的にコリジョン等の発生を抑制できる。
【００４１】
また、照明器具２０の制御部２２は、第２通信部２１が上記要求を受信したとき、光源を所定の点灯状態に制御する。所定の点灯状態は、特に限定されないが、例えば、点灯または点滅状態等である。
【００４２】
これにより、ユーザは、上記要求を受信した照明器具２０を認識できる。例えば、フロアにおける電波状況によっては、上記要求は受信できても、自己のアドレス情報の返信が端末器１０に届かないということがあり得る。このため、後述するが、ユーザが情報端末３０上で、端末器１０が収集した複数の照明器具２０ａ〜２０ｎのアドレス情報を確認するときに、フロアにおいて点灯または点滅している照明器具２０の数と、情報端末３０上に表示されたアドレス情報の数とが違う場合に、ユーザは、上記要求を受信できたが上記要求に対する返信に失敗した照明器具２０が存在することを認識できる。
【００４３】
次に、第１通信部１１は、電源オン状態の複数の照明器具２０ａ〜２０ｎのそれぞれから、複数の照明器具２０ａ〜２０ｎのそれぞれのアドレス情報を受信する（ステップＳ１３）。具体的には、複数の照明器具２０ａ〜２０ｎのうちのアドレス情報が収集される照明器具２０の条件に合致する照明器具２０のアドレス情報を受信する。照明器具２０側から見ると、第２通信部２１は、自己のアドレス情報を端末器１０に対して送信する。具体的には、照明器具２０が、アドレス情報が収集される照明器具２０の条件に合致する場合に、自己のアドレス情報を端末器１０に対して送信する。
【００４４】
次に、第１通信部１１は、情報端末３０に対して、収集した複数の照明器具２０ａ〜２０ｎのそれぞれのアドレス情報を送信する（ステップＳ１４）。情報端末３０側から見ると、第３通信部３１は、電源オン状態の複数の照明器具２０ａ〜２０ｎのそれぞれのアドレス情報を端末器１０から受信する。
【００４５】
図４は、端末器１０と照明器具２０とのペアリングの際に、ユーザに操作される情報端末３０の一例を示す図である。
【００４６】
図４に示されるように、情報端末３０には、例えば、現在ペアリングしようとしている端末器１０の系統と、複数の照明器具２０ａ〜２０ｎのそれぞれのアドレス情報（ＭＡＣアドレス）と、各アドレス情報がどの照明器具２０のアドレス情報かを確認するための位置確認ボタンと、端末器１０（Ａ系統）とペアリングさせる照明器具を選択するための登録ボタンが表示されている。
【００４７】
ユーザは、まず、複数の照明器具２０ａ〜２０ｎのそれぞれのアドレス情報がフロアにおいて実際に設置されているどの照明器具２０に対応しているのかを認識するために、情報端末３０上において各アドレス情報に対応する位置確認ボタンを操作する。例えば、位置確認ボタンが操作されることで、当該位置確認ボタンに対応するアドレス情報を有する照明器具２０が点滅するように設定されている。位置確認ボタンが操作されることで、情報端末３０は、当該位置確認ボタンに対応するアドレス情報を制御信号が送信されるアドレス情報として指定する（ステップＳ１５）。そして、情報端末３０は、当該アドレス情報を指定した制御信号を端末器１０に送信し、端末器１０（第１通信部１１）は、当該制御信号を受信したとき、当該指定されたアドレス情報を有する照明器具２０に対して、当該制御信号を送信する（ステップＳ１６）。例えば、ここでは、複数の照明器具２０ａ〜２０ｎのそれぞれのアドレス情報が指定されていったとする。ステップＳ１６は、第１通信部１１が、情報端末３０において選択されたアドレス情報を有する照明器具２０と端末器１０とをペアリングするための情報を照明器具２０に送信する前に、照明器具２０のアドレス情報を指定した制御信号を受信したタイミングとなる。
【００４８】
アドレス情報を指定した制御信号は、当該アドレス情報を有する照明器具２０を照明制御するための信号であり、例えば、照明器具２０を点滅状態とするための信号である。照明器具２０の制御部２２は、第２通信部２１が自己のアドレス情報を指定した制御信号を受信したとき、当該制御信号に基づいて光源の点灯状態を制御する（例えば点滅状態とする）。例えば、複数の照明器具２０ａ〜２０ｎのそれぞれのアドレス情報が指定されていっているため、複数の照明器具２０ａ〜２０ｎのそれぞれのアドレス情報が指定されるごとに、実際に設置されている複数の照明器具２０ａ〜２０ｎは、例えば所定の時間（数秒間）点滅状態となる。ステップＳ１６は、第２通信部２１が、端末器１０とのペアリングを実行する前のタイミングとなる。
【００４９】
例えば、ユーザは、端末器１０によって収集されて情報端末３０に送信された複数の照明器具２０ａ〜２０ｎのそれぞれのアドレス情報の中から１つずつ指定していくことで、指定したアドレス情報に対応する照明器具２０を点滅等させることができる。つまり、ユーザは、複数の照明器具２０ａ〜２０ｎのそれぞれのアドレス情報がフロアにおいて実際に設置されているどの照明器具２０に対応しているのかを認識することができ、設置された位置を認識した照明器具２０と端末器１０とを後述するようにペアリングすることができる。なお、複数の照明器具２０ａ〜２０ｎのそれぞれのアドレス情報が１つずつ指定されていかなくてもよく、例えば、まとめて指定されてもよく、この場合、まとめて指定されたアドレス情報に対応する照明器具２０がまとめて点滅状態となってもよい。
【００５０】
次に、ユーザは、情報端末３０上において、端末器１０のＡ系統とペアリングさせたい照明器具２０のアドレス情報に対応する登録ボタンを操作する。登録ボタンが操作されることで、情報端末３０は、当該登録ボタンに対応するアドレス情報を端末器１０のＡ系統とペアリングする照明器具２０のアドレス情報として選択する（ステップＳ１７）。例えば、ユーザは、情報端末３０上において、照明器具２０ａおよび２０ｎのアドレス情報に対応する登録ボタンを操作し、情報端末３０は、照明器具２０ａおよび２０ｎのアドレス情報を選択したとする。
【００５１】
情報端末３０（第３通信部３１）は、複数の照明器具２０ａ〜２０ｎのそれぞれのアドレス情報のうち、選択されたアドレス情報を有する照明器具２０（２０ａおよび２０ｎ）と端末器１０とをペアリングするための情報を端末器１０に送信する（ステップＳ１８）。
【００５２】
端末器１０（第１通信部１１）は、複数の照明器具２０ａ〜２０ｎのそれぞれのアドレス情報のうち、情報端末３０において選択されたアドレス情報を有する照明器具２０と端末器１０とをペアリングするための情報を照明器具２０（２０ａおよび２０ｎ）に送信する（ステップＳ１９）。例えば、端末器１０は、ペアリングするための情報として、自己のアドレス情報を照明器具２０に送信する。照明器具２０側から見ると、第２通信部２１は、情報端末３０が端末器１０から受信した複数の照明器具２０ａ〜２０ｎのそれぞれのアドレス情報のうち、情報端末３０において選択された自己のアドレス情報を有する照明器具２０と端末器１０とをペアリングするための情報を端末器１０から受信したとき、端末器１０とのペアリングを実行する。
【００５３】
照明器具２０は、端末器１０のアドレス情報をメモリに記憶することで端末器１０とのペアリングを実行する。これにより、端末器１０と照明器具２０とで互いのアドレス情報の交換が行われ、端末器１０と照明器具２０とのペアリングが完了する。端末器１０のアドレス情報を記憶した照明器具２０は、端末器１０にペアリングが完了した旨の信号を送信する。
【００５４】
そして、端末器１０（第１通信部１１）は、情報端末３０において選択されたアドレス情報を有する照明器具２０と端末器１０とのペアリングが完了したとき、ペアリングが完了した照明器具２０に対して制御信号を送信する。当該制御信号は、例えば、照明器具２０を点灯または点滅させるための信号である。照明器具２０の制御部２２は、第２通信部２１が端末器１０とのペアリングを完了したとき、照明器具２０の光源を所定の点灯状態（例えば点灯または点滅状態）に制御する。これにより、ユーザは、照明器具２０と端末器１０とのペアリングが完了したことを認識できる。なお、照明器具２０は、端末器１０とのペアリングが完了したとき、端末器１０にペアリングが完了した旨の信号を送信しなくてもよく、つまりは、端末器１０から上記制御信号を受信しなくても照明器具２０の光源を所定の点灯状態に制御してもよい。
【００５５】
以上のステップＳ１１からステップＳ１９での処理により、端末器１０のＡ系統と所望の照明器具２０ａおよび２０ｎとのペアリングが完了する。なお、端末器１０の他の系統に対して他の照明器具２０をペアリングする場合は、他の系統についてステップＳ１１からステップＳ１９での処理を行う。これにより、端末器１０の系統ごとに照明器具２０とのペアリングを行うことができる。つまり、複数の照明器具２０ａ〜２０ｎをグループ分けすることができ、グループごとの制御が可能となる。そして、ペアリング作業の完了後に、ユーザは、端末器１０の設定モードを解除することで、端末器１０は、通常動作（つまり、検出した周囲の明るさに応じて、ペアリング対象の照明器具２０を調光制御する動作）を行う。
【００５６】
［効果等］
以上説明したように、本実施の形態に係る端末器１０は、情報端末３０および１以上の照明器具２０ａ〜２０ｎと通信する第１通信部１１を備える。第１通信部１１は、電源オン状態の１以上の照明器具２０ａ〜２０ｎのそれぞれから、１以上の照明器具２０ａ〜２０ｎのそれぞれのアドレス情報を受信し、情報端末３０に対して１以上の照明器具２０ａ〜２０ｎのそれぞれのアドレス情報を送信し、１以上の照明器具２０ａ〜２０ｎのそれぞれのアドレス情報のうち、情報端末３０において選択されたアドレス情報を有する照明器具２０と端末器１０とをペアリングするための情報を照明器具２０に送信するように構成されている。
【００５７】
これによれば、端末器１０は、１以上の照明器具２０ａ〜２０ｎからそれぞれのアドレス情報を収集して、情報端末３０に送信する。例えば、ユーザは、情報端末３０に集められた、１以上の照明器具２０ａ〜２０ｎのそれぞれのアドレス情報のうちから、端末器１０とのペアリングの候補となる照明器具２０（アドレス情報）を選択することができる。そして、端末器１０は、選択されたアドレス情報を有する照明器具２０とのペアリングを実行する。つまり、ユーザは、情報端末３０において一括してまとめられた１以上の照明器具２０ａ〜２０ｎのそれぞれのアドレス情報のうちから、端末器１０とペアリングしたい照明器具２０のアドレス情報を選択するだけで、以降は、端末器１０とユーザに選択された所望の照明器具２０とが自動的にペアリングをする。このように、本発明によれば、ペアリングを容易に行うことができる。
【００５８】
また、第１通信部１１は、１以上の照明器具２０ａ〜２０ｎに対して、アドレス情報が収集される照明器具２０の条件に関する情報を送信することで、１以上の照明器具２０ａ〜２０ｎのうちの当該条件に合致する照明器具２０のアドレス情報を受信してもよい。
【００５９】
例えば、１以上の照明器具２０ａ〜２０ｎは、設置されるフロアの規模によっては、数１００台となることがある。このため、１以上の照明器具２０ａ〜２０ｎからそれぞれのアドレス情報が同時に送られてくると、コリジョン等が発生してしまう。これに対して、本態様によれば、条件に合致する照明器具２０だけがアドレス情報を端末器１０に送信するため、コリジョン等の発生を抑制できる。
【００６０】
また、第１通信部１１は、１以上の照明器具２０ａ〜２０ｎに対して、アドレス情報が収集される照明器具２０の第１の条件に関する情報を送信し、所定期間経過後に第１の条件と異なる第２の条件に関する情報を送信してもよい。
【００６１】
これによれば、第１通信部１１は、第１の条件に合致した照明器具２０のアドレス情報を受信した後、所定の期間経過後に第２の条件に合致する照明器具２０のアドレス情報を受信できる。つまり、条件を変えて徐々に様々な条件に合致する照明器具２０のアドレス情報を受信していくことで、コリジョン等の発生を抑制しながら１以上の照明器具２０ａ〜２０ｎのそれぞれのアドレス情報を収集できる。
【００６２】
また、第１通信部１１は、１以上の照明器具２０ａ〜２０ｎに対して、アドレス情報が収集される照明器具２０の第１の条件に関する情報を送信し、所定期間経過後に再度第１の条件に関する情報を送信してもよい。
【００６３】
１以上の照明器具２０ａ〜２０ｎがキャリアセンスする機能を有している場合に、第１の条件に合致する照明器具２０は、他に第１の条件に合致する照明器具２０が存在しており、当該他の照明器具２０が自己のアドレス情報を返信中で、割り当てられたチャネルが空いていないときには、一定期間（例えば１以上の照明器具２０ａ〜２０ｎごとにランダムな期間）待ち状態となる。したがって、第１通信部１１は、第１の条件に合致した照明器具２０のアドレス情報を受信した後、所定の期間経過後に他の第１の条件に合致する照明器具２０のアドレス情報を受信できる。つまり、所定の期間ごとに徐々に第１の条件に合致する照明器具２０のアドレス情報を受信していくことで、コリジョン等の発生を抑制しながら第１の条件に合致する照明器具２０のそれぞれのアドレス情報を収集できる。
【００６４】
また、第１通信部１１は、情報端末３０において選択されたアドレス情報を有する照明器具２０と端末器１０とをペアリングするための情報を当該照明器具２０に送信する前に、当該照明器具２０のアドレス情報を指定した制御信号を受信したとき、当該照明器具２０に対して、当該アドレス情報を指定した制御信号を送信してもよい。
【００６５】
当該アドレス情報を指定した制御信号は、例えば、当該照明器具２０を照明制御するための信号であり、当該照明器具２０は、当該制御信号によって点灯または点滅等することができる。したがって、例えば、ユーザは、端末器１０によって収集されて情報端末３０に送信された１以上の照明器具２０ａ〜２０ｎのそれぞれのアドレス情報の中から１つずつ指定していくことで、指定したアドレス情報に対応する照明器具２０を点灯または点滅等させることができる。つまり、ユーザは、１以上の照明器具２０ａ〜２０ｎのそれぞれのアドレス情報がフロアにおいて実際に設置されているどの照明器具２０に対応しているのかを認識することができ、具体的に設置位置を把握した照明器具２０と端末器１０とをペアリングすることができる。
【００６６】
また、第１通信部１１は、情報端末３０において選択されたアドレス情報を有する照明器具２０と端末器１０とのペアリングが完了したとき、ペアリングが完了した当該照明器具２０に対して制御信号を送信してもよい。
【００６７】
これによれば、ユーザは、当該照明器具２０と端末器１０とのペアリングが完了したことを認識できる。
【００６８】
また、本実施の形態に係る照明器具２０は、端末器１０と通信する第２通信部２１を備える。第２通信部２１は、端末器１０からアドレス情報の要求を受信したとき、自己のアドレス情報を端末器１０に対して送信し、情報端末３０が端末器１０から受信した１以上の照明器具２０ａ〜２０ｎのそれぞれのアドレス情報のうち、情報端末３０において選択された自己のアドレス情報を有する照明器具２０と端末器１０とをペアリングするための情報を端末器１０から受信したとき、端末器１０とのペアリングを実行するように構成されている。
【００６９】
これによれば、端末器１０は、１以上の照明器具２０ａ〜２０ｎにアドレス情報の要求を送信することで、それぞれのアドレス情報を収集して、情報端末３０に送信する。例えば、ユーザは、情報端末３０に集められた、１以上の照明器具２０ａ〜２０ｎのそれぞれのアドレス情報のうちから、端末器１０とのペアリングの候補となる照明器具２０（アドレス情報）を選択することができる。そして、照明器具２０は、端末器１０において自己のアドレス情報が選択された場合に、自身に向けて送信された端末器１０とペアリングするための情報を受信し、端末器１０とのペアリングを実行する。つまり、ユーザは、情報端末３０において一括してまとめられた１以上の照明器具２０ａ〜２０ｎのそれぞれのアドレス情報のうちから、端末器１０とペアリングしたい照明器具２０のアドレス情報を選択するだけで、以降は、端末器１０とユーザに選択された所望の照明器具２０とが自動的にペアリングをする。このように、本発明によれば、ペアリングを容易に行うことができる。
【００７０】
また、第２通信部２１は、上記要求を受信する際に、端末器１０からアドレス情報が収集される照明器具２０の条件に関する情報を受信し、照明器具２０が当該条件に合致する場合に、自己のアドレス情報を端末器１０に対して送信してもよい。
【００７１】
例えば、１以上の照明器具２０ａ〜２０ｎは、設置されるフロアの規模によっては、数１００台となることがある。このため、１以上の照明器具２０ａ〜２０ｎからそれぞれのアドレス情報が同時に送られてくると、コリジョン等が発生してしまう。これに対して、本態様によれば、条件に合致する照明器具２０だけが自己のアドレス情報を端末器１０に送信するため、コリジョン等の発生を抑制できる。
【００７２】
また、第２通信部２１は、端末器１０から上記要求を受信した回数に基づいて、自己のアドレス情報を端末器１０に対して送信してもよい。
【００７３】
これによれば、端末器１０または情報端末３０においてアドレス情報が収集される照明器具２０の条件を設定しなくても、照明器具２０が上記要求を受信した回数に応じて自己のアドレスを返信するタイミングをばらけさせることができ、コリジョン等の発生を抑制できる。
【００７４】
また、照明器具２０は、さらに、光源の点灯状態を制御する制御部２２を有し、制御部２２は、第２通信部２１が上記要求を受信したとき、光源を所定の点灯状態に制御してもよい。
【００７５】
これによれば、ユーザは、上記要求を受信した照明器具２０を認識できる。
【００７６】
また、照明器具２０は、さらに、光源の点灯状態を制御する制御部２２を有し、制御部２２は、第２通信部２１が端末器１０とのペアリングを実行する前に自己のアドレス情報を指定した制御信号を受信したとき、当該制御信号に基づいて光源の点灯状態を制御してもよい。
【００７７】
当該自己のアドレス情報を指定した制御信号は、例えば、照明器具２０を照明制御するための信号であり、照明器具２０は、当該制御信号によって点灯または点滅等することができる。したがって、例えば、ユーザは、端末器１０によって収集されて情報端末３０に送信された１以上の照明器具２０ａ〜２０ｎのそれぞれのアドレス情報の中から１つずつ指定していくことで、指定したアドレス情報に対応する照明器具２０を点灯または点滅等させることができる。つまり、ユーザは、１以上の照明器具２０ａ〜２０ｎのそれぞれのアドレス情報がフロアにおいて実際に設置されているどの照明器具２０に対応しているのかを認識することができ、具体的に設置位置を把握した照明器具２０と端末器１０とをペアリングすることができる。
【００７８】
また、照明器具２０は、さらに、光源の点灯状態を制御する制御部２２を有し、制御部２２は、第２通信部２１が端末器１０とのペアリングを完了したとき、光源を所定の点灯状態に制御してもよい。
【００７９】
これによれば、ユーザは、照明器具２０と端末器１０とのペアリングが完了したことを認識できる。
【００８０】
また、本実施の形態に係る情報端末３０は、端末器１０と通信する第３通信部３１を備える。第３通信部３１は、電源オン状態の１以上の照明器具２０ａ〜２０ｎのそれぞれのアドレス情報を端末器１０から受信し、１以上の照明器具２０ａ〜２０ｎのそれぞれのアドレス情報のうち、選択されたアドレス情報を有する照明器具２０と端末器１０とをペアリングするための情報を端末器１０に送信するように構成されている。
【００８１】
例えば、ユーザは、情報端末３０に集められた、１以上の照明器具２０ａ〜２０ｎのそれぞれのアドレス情報のうちから、端末器１０とのペアリングの候補となる照明器具２０（アドレス情報）を選択することができる。そして、端末器１０は、情報端末３０から選択されたアドレス情報を有する照明器具２０と端末器１０とをペアリングするための情報を受信することで、当該照明器具２０とのペアリングを実行する。つまり、ユーザは、情報端末３０において一括してまとめられた１以上の照明器具２０ａ〜２０ｎのそれぞれのアドレス情報のうちから、端末器１０とペアリングしたい照明器具２０のアドレス情報を選択するだけで、以降は、端末器１０とユーザに選択された所望の照明器具２０とが自動的にペアリングをする。このように、本発明によれば、ペアリングを容易に行うことができる。
【００８２】
（その他の実施の形態）
以上、実施の形態に係る端末器１０、照明器具２０および情報端末３０について説明したが、本発明は、上記実施の形態に限定されるものではない。
【００８３】
例えば、上記実施の形態では、１以上の照明器具は、複数の照明器具２０ａ〜２０ｎであったが、１つの照明器具２０であってもよい。この場合、第１通信部１１は、電源オン状態の１つの照明器具２０から、当該照明器具２０のアドレス情報を受信し、情報端末３０に対して当該照明器具２０のアドレス情報を送信する。情報端末３０上に当該照明器具２０のアドレス情報が表示され、当該アドレス情報が選択されれば、第１通信部１１は、情報端末３０において選択された当該アドレス情報を有する当該照明器具２０と端末器１０とをペアリングするための情報を当該照明器具２０に送信する。つまり、この場合、端末器１０と照明器具２０とは一対一で通信する。
【００８４】
また、例えば、上記実施の形態では、第１通信部１１は、１以上の照明器具２０ａ〜２０ｎに対して、アドレス情報が収集される照明器具２０の条件に関する情報を送信したが、このような処理が行われなくてもよい。
【００８５】
また、例えば、上記実施の形態では、第１通信部１１は、情報端末３０において選択されたアドレス情報を有する照明器具２０と端末器１０とをペアリングするための情報を照明器具２０に送信する前に、照明器具２０のアドレス情報を指定した制御信号を受信したとき、照明器具２０に対して、アドレス情報を指定した制御信号を送信したが、このような処理が行われなくてもよい。
【００８６】
また、例えば、上記実施の形態では、第１通信部１１は、情報端末３０において選択されたアドレス情報を有する照明器具２０と端末器１０とのペアリングが完了したとき、ペアリングが完了した照明器具２０に対して制御信号を送信したが、このような処理が行われなくてもよい。
【００８７】
また、例えば、上記実施の形態では、第２通信部２１は、アドレス情報の要求を受信する際に、端末器１０からアドレス情報が収集される照明器具２０の条件に関する情報を受信し、照明器具２０が当該条件に合致する場合に、自己のアドレス情報を端末器１０に対して送信したが、このような処理が行われなくてもよい。
【００８８】
また、例えば、上記実施の形態では、第２通信部２１は、端末器１０からアドレス情報の要求を受信した回数に基づいて、自己のアドレス情報を端末器１０に対して送信したが、このような処理が行われなくてもよい。
【００８９】
また、例えば、上記実施の形態では、照明器具２０は、制御部２２を有していたが、有していなくてもよい。
【００９０】
また、例えば、上記実施の形態では、アドレス情報はＭＡＣアドレスであったが、論理アドレス等であってもよい。例えば、論理アドレスは、ＭＡＣアドレスにおけるいずれかの桁における値に基づいて生成されたショートアドレス等であってもよい。例えば、照明システムにおいて用いられる信号の伝送方式によっては、論理アドレスを用いられることがある。このため、図４において、ＭＡＣアドレスとともに論理アドレスも表示されてもよく、ユーザに論理アドレスが認識されるようにしてもよい。
【００９１】
また、本発明は、情報端末３０として実現できるだけでなく、情報端末３０を構成する各構成要素が行うステップ（処理）を含むペアリング方法として実現できる。
【００９２】
具体的には、図２に示されるように、ペアリング方法は、電源オン状態の１以上の照明器具２０ａ〜２０ｎのそれぞれのアドレス情報を端末器１０から受信するステップ（ステップＳ１４）と、１以上の照明器具２０ａ〜２０ｎのそれぞれのアドレス情報のうち少なくとも１つのアドレス情報の選択を受け付けるステップ（ステップＳ１７）と、選択を受け付けたアドレス情報を有する照明器具２０と端末器１０とをペアリングするための情報を端末器１０に送信するステップ（ステップＳ１８）と、を含む。
【００９３】
また、本発明は、端末器１０および照明器具２０として実現できるだけでなく、端末器１０および照明器具２０を構成する各構成要素が行うステップ（処理）を含む方法として実現できる。
【００９４】
例えば、それらのステップは、コンピュータ（コンピュータシステム）によって実行されてもよい。そして、本発明は、それらの方法に含まれるステップを、コンピュータに実行させるためのプログラムとして実現できる。さらに、本発明は、そのプログラムを記録したＣＤ−ＲＯＭ等である非一時的なコンピュータ読み取り可能な記録媒体として実現できる。
【００９５】
例えば、本発明が、プログラム（ソフトウェア）で実現される場合には、コンピュータのＣＰＵ、メモリおよび入出力回路等のハードウェア資源を利用してプログラムが実行されることによって、各ステップが実行される。つまり、ＣＰＵがデータをメモリまたは入出力回路等から取得して演算したり、演算結果をメモリまたは入出力回路等に出力したりすることによって、各ステップが実行される。
【００９６】
また、上記実施の形態の端末器１０、照明器具２０および情報端末３０に含まれる各構成要素は、専用または汎用の回路として実現されてもよい。
【００９７】
また、上記実施の形態の端末器１０、照明器具２０および情報端末３０に含まれる各構成要素は、集積回路（ＩＣ：Ｉｎｔｅｇｒａｔｅｄ  Ｃｉｒｃｕｉｔ）であるＬＳＩ（Ｌａｒｇｅ  Ｓｃａｌｅ  Ｉｎｔｅｇｒａｔｉｏｎ）として実現されてもよい。
【００９８】
また、集積回路はＬＳＩに限られず、専用回路または汎用プロセッサで実現されてもよい。プログラム可能なＦＰＧＡ（Ｆｉｅｌｄ  Ｐｒｏｇｒａｍｍａｂｌｅ  Ｇａｔｅ  Ａｒｒａｙ）、または、ＬＳＩ内部の回路セルの接続および設定が再構成可能なリコンフィギュラブル・プロセッサが、利用されてもよい。
【００９９】
さらに、半導体技術の進歩または派生する別技術によりＬＳＩに置き換わる集積回路化の技術が登場すれば、当然、その技術を用いて、端末器１０、照明器具２０および情報端末３０に含まれる各構成要素の集積回路化が行われてもよい。
【０１００】
その他、実施の形態に対して当業者が思いつく各種変形を施して得られる形態や、本発明の趣旨を逸脱しない範囲で各実施の形態における構成要素および機能を任意に組み合わせることで実現される形態も本発明に含まれる。
【符号の説明】
【０１０１】
１０  端末器
１１  第１通信部
２０、２０ａ〜２０ｎ  照明器具
２１、２１ａ〜２１ｎ  第２通信部
２２、２２ａ〜２２ｎ  制御部
３０  情報端末
３１  第３通信部
【図１】
2019192538.tif 000003
【図２】
2019192538.tif 000004
【図３】
2019192538.tif 000005
【図４】
2019192538.tif 000006